(57)【要約】【課題】  光源からの光の利用効率を大幅に向上させて画面輝度を良好に高める。【解決手段】  透光性フィルムの表裏両面に凹凸パターンを刻設して直線状に配列された複数のプリズムレンズ３１，３３を形成してプリズムレンズフィルム１５とする。一方の面に、入射光の全反射を防止するためのプリズムレンズ３３からなる全反射防止機能層を設ける。他方の面に、一方の面から導入された光の光路を偏向するプリズムレンズ３１からなる光偏向機能層を設ける。有機ＥＬ素子からなる平面光源１３にプリズムレンズフィルム１５を積層させる。【選択図】      図１
2006100125.tif 000002
【特許請求の範囲】
【請求項１】
透光性フィルムの表裏両面に凹凸パターンが刻設され、該透光性フィルム内に導入された光を偏向して出射するプリズムレンズフィルムであって、
前記透光性フィルムの一方の面に、入射光の全反射を防止するための全反射防止機能層が形成され、
他方の面に、前記一方の面から前記透光性フィルム内に導入された光の光路を偏向する光偏向機能層が形成されており、
前記光偏向機能層が、直線状に配列された複数のプリズムレンズからなることを特徴とするプリズムレンズフィルム。
【請求項２】
前記全反射防止機能層が、直線状に配列された複数のプリズムレンズからなり、
該全反射防止機能層のプリズムレンズの頂角が６０゜〜１５０゜の範囲であり、かつ、前記光偏向機能層のプリズムレンズの頂角が３０゜〜１２０゜の範囲であることを特徴とする請求項１記載のプリズムレンズフィルム。
【請求項３】
前記全反射防止機能層のプリズムレンズの頂角が、前記光偏向機能層のプリズムレンズの頂角より大きいことを特徴とする請求項２記載のプリズムレンズフィルム。
【請求項４】
前記光偏向機能層のプリズムレンズの隣接する頂部の間に、前記全反射防止機能層のプリズムレンズの頂部が配置されていることを特徴とする請求項２又は請求項３記載のプリズムレンズフィルム。
【請求項５】
前記光偏向機能層、前記全反射防止機能層の少なくともいずれかのプリズムレンズの頂部が、所定の一定ピッチで形成されていることを特徴とする請求項２〜請求項４のいずれか１項に記載のプリズムレンズフィルム。
【請求項６】
前記光偏向機能層、前記全反射防止機能層の少なくともいずれかのプリズムレンズの頂部が、それぞれ同一平面上に配置されていることを特徴とする請求項２〜５記載のプリズムレンズフィルム。
【請求項７】
前記プリズムレンズが、屈折率１．４以上の材料により形成されていることを特徴とする請求項２〜請求項６のいずれか１項に記載のプリズムレンズフィルム。
【請求項８】
請求項１〜請求項７のいずれか１項に記載のプリズムレンズフィルムを、前記プリズムレンズの配設方向と互いに直交させて重ね合わせたことを特徴とするプリズムレンズフィルム。
【請求項９】
請求項１〜請求項８記載のプリズムレンズフィルムと、
該プリズムレンズフィルムの前記全反射防止機能層に対峙して設けられた光源とを備えたことを特徴とする平面型発光装置。
【請求項１０】
前記光源が、複数の微小領域単位で発光及び非発光状態を選択できる画素表示機能を有し、
前記プリズムレンズフィルムの各プリズムレンズの配置ピッチが、前記微小領域に相当する画素の配置ピッチに略等しいことを特徴とする請求項９記載の平面型発光装置。
【請求項１１】
前記光源が有機ＥＬ素子であることを特徴とする請求項９又は請求項１０記載の平面型発光装置。
【発明の詳細な説明】
【技術分野】
【０００１】
本発明は、モバイルＰＣ、ＰＤＡ、携帯電話、ノート・デスクトップＰＣ、銀行等のキャッシュディスペンサー端末等の表示装置や平面型テレビジョン等に用いられるプリズムレンズフィルム及びこれを用いた平面型発光装置に関する。
【背景技術】
【０００２】
従来、有機ＥＬ発光素子においては、発光光の利用効率が低く、ディスプレイとしての画面輝度が、他の液晶ディスプレイ、プラズマディスプレイパネルＰＤＰなどと比較して劣るため、画面輝度を向上させることが望まれていた。このため、有機ＥＬ発光素子の素材を改良して発光効率を向上させたり、液晶ディスプレイで用いられているプリズムレンズフィルムを発光素子からなる光源に積層させて光利用効率を向上させる等の工夫が試みられている（例えば、特許文献１参照）。
【０００３】
【特許文献１】特開平８−２６２２０６号公報
【発明の開示】
【発明が解決しようとする課題】
【０００４】
ところで、プリズムレンズフィルムを用いることにより、ある程度の画面輝度の向上を図ることができるが、図１２に示すように、光源１に積層させたプリズムレンズフィルム２の光源１側の入射面が単なる平面であると、光源１からの光の一部が入射面にて全反射してしまい、光の利用効率の向上を顕著に望むことができなかった。
【０００５】
本発明は、上記事情に鑑みてなされたもので、光源からの光の利用効率を大幅に向上させて画面輝度を良好に高めることが可能なプリズムレンズフィルム及びこれを用いた平面型発光装置を提供することを目的としている。
【課題を解決するための手段】
【０００６】
上記目的を達成するために、本発明のプリズムレンズフィルムは、透光性フィルムの表裏両面に凹凸パターンが刻設され、該透光性フィルム内に導入された光を偏向して出射するプリズムレンズフィルムであって、前記透光性フィルムの一方の面に、入射光の全反射を防止するための全反射防止機能層が形成され、他方の面に、前記一方の面から前記透光性フィルム内に導入された光の光路を偏向する光偏向機能層が形成されており、前記光偏向機能層が、直線状に配列された複数のプリズムレンズからなることを特徴とする。
【０００７】
このように、一方の面に入射光の全反射を防止する全反射防止機能層を設けたので、高い入射効率にて光を入射させて光偏向機能層から良好に出射させることができる。これにより、光源からの光の利用効率を大幅に向上させて画面輝度を高めることができる。
【０００８】
また、本発明のプリズムレンズフィルムは、前記全反射防止機能層が、直線状に配列された複数のプリズムレンズからなり、該全反射防止機能層のプリズムレンズの頂角が６０゜〜１５０゜の範囲であり、かつ、前記光偏向機能層のプリズムレンズの頂角が３０゜〜１２０゜の範囲であることを特徴とする。
【０００９】
このように、全反射防止機能層のプリズムレンズの頂角を所定範囲内に設定することで、プリズムレンズフィルム内に導入される入射光の全反射を抑えて利用効率を高め、さらに、光偏向機能層のプリズムレンズの頂角を所定範囲内に設定することで、集光効果を高めることができる。
【００１０】
さらに、本発明のプリズムレンズフィルムは、前記全反射防止機能層のプリズムレンズの頂角が、前記光偏向機能層のプリズムレンズの頂角より大きいことを特徴とする。
【００１１】
これにより、全反射防止機能層のプリズムレンズによる入射光の拡散を抑え、光偏向機能層のプリズムレンズによる集光度合いを向上することができ、これらプリズムレンズの協働効果により、入射光が高効率でプリズムレンズフィルム内に導入され、十分な集光効果が得られる。
【００１２】
また、本発明のプリズムレンズフィルムは、前記光偏向機能層のプリズムレンズの隣接する頂部の間に、前記全反射防止機能層のプリズムレンズの頂部が配置されていることを特徴とする。
【００１３】
つまり、頂部が一つの場合はピッチが等しくなり、全反射防止機能層から導入された光が、出射方向を概ね揃えた状態で透過するようになり、導入された光を集光させて過度な分散を抑えることで光利用効率が向上する。また、頂部が複数の場合は、より平均化された光分布となる。
【００１４】
また、本発明のプリズムレンズフィルムは、前記光偏向機能層、前記全反射防止機能層の少なくともいずれかのプリズムレンズの頂部が、所定の一定ピッチで形成されていることを特徴とする。
【００１５】
このように、所定ピッチで規則性を有して頂部が形成されることで、光源からの光の集光性を高めることができる。
【００１６】
さらに、本発明のプリズムレンズフィルムは、前記光偏向機能層、前記全反射防止機能層の少なくともいずれかのプリズムレンズの頂部が、それぞれ同一平面上に配置されていることを特徴とする。
【００１７】
これにより、プリズムレンズフィルムを他の光学部材に貼り合わせる場合に、双方の平面性を損なうことがない。よって、集光条件が変化することがない。
【００１８】
また、本発明のプリズムレンズフィルムは、前記プリズムレンズが、屈折率１．４以上の材料により形成されていることを特徴とする。
【００１９】
これにより、光の屈折効果が十分に得られ、良好な偏向効果を得ることができる。
【００２０】
また、本発明のプリズムレンズフィルムは、上記のプリズムレンズフィルムを、前記プリズムレンズの配設方向と互いに直交させて重ね合わせたことを特徴とする。
【００２１】
これにより、直交する２方向に対する透過光量が均等化されて、平面上で均等分布となった光束を得ることができる。
【００２２】
本発明の平面型発光装置は、上記のプリズムレンズフィルムと、該プリズムレンズフィルムの前記全反射防止機能層に対峙して設けられた光源とを備えたことを特徴とする。
【００２３】
これにより、全反射防止機能層のプリズムレンズから全反射なく導入された光源からの光が、光偏向機能層のプリズムレンズによって集光されて出射され、均等な光分布の光束を出射することができ、高い表示品質を得ることができ、しかも、消費電力の低減を図ることができる。
【００２４】
また、本発明の平面型発光装置は、前記光源が、複数の微小領域単位で発光及び非発光状態を選択できる画素表示機能を有し、前記プリズムレンズフィルムの各プリズムレンズの配置ピッチが、前記微小領域に相当する画素の配置ピッチに略等しいことを特徴とする。
【００２５】
これにより、モアレ縞の発生を防止することができ、発光パターンが均一となり表示品質が向上する。
【００２６】
さらに、本発明の平面型発光装置は、前記光源が有機ＥＬ素子であることを特徴とする。
【００２７】
これにより、薄型でフレキシブルにもでき、高輝度が得られる。
【発明の効果】
【００２８】
本発明のプリズムレンズフィルムによれば、一方の面に入射光の全反射を防止する全反射防止機能層を設けたので、高い入射効率にて光を入射させて光偏向機能層から良好に出射させることができる。これにより、光源からの光の利用効率を大幅に向上させて画面輝度を高めることができる。
そして、このプリズムレンズフィルムを用いた平面型発光装置によれば、全反射防止機能層のプリズムレンズから全反射なく導入された光源からの光を、光偏向機能層のプリズムレンズによって集光させて出射させ、均等な光分布の光束を出射することができ、高い表示品質を得ることができ、しかも、消費電力の低減を図ることができる。
【発明を実施するための最良の形態】
【００２９】
以下、本発明に係るプリズムレンズフィルム及びこれを用いた平面型発光装置の好適な実施の形態について、図面を参照して詳細に説明する。
図１は、本実施形態に係るプリズムレンズフィルムを用いた平面型発光装置の断面図、図２は、プリズムレンズフィルムの斜視図である。
図１に示すように、平面型発光装置１１は、有機ＥＬ素子からなる平面光源１３を備えており、この平面光源１３に、プリズムレンズフィルム１５が積層されている。
【００３０】
平面光源１３を構成する有機ＥＬ素子は、例えば、下部電極層１７と上部電極層１９との間に、正孔輸送層、発光層及び電子輸送層を順に積層した有機ＥＬ層２１が配設された構成とされている。有機ＥＬ層２１を構成する発光層は、電流注入に応じて赤（Ｒ）、緑（Ｇ）、青（Ｂ）の光を発生させるものである。また、正孔輸送層は、発光層への正孔注入効率を高め、かつ正孔注入層としての機能も兼ねるものであり、電子輸送層は、発光層への電子注入効率を高めるためのものである。なお、下部電極層１７は、本来の電極としての機能とともに、有機ＥＬ層２１の発光層にて発生した光を反射させるための反射層としての機能も兼ねている。
【００３１】
プリズムレンズフィルム１５は、例えば、ガラス、プラスチック（ポリカーボネート、アクリル等）などによって成形された透光性フィルムからなり、透光性が高く平面性、成形性に富む材料が好適に用いられる。なお、このプリズムレンズフィルム１５の材料としては、集光効果を高める上で、屈折率が１．４以上のものが好ましい。
【００３２】
図２にも示すように、このプリズムレンズフィルム１５は、その表裏両面に凹凸パターンが刻設されて三角屋根形状のプリズムレンズ３１，３３が形成されている。そして、平面光源１３側と反対に形成されたプリズムレンズ３１が光偏向機能層とされ、平面光源１３側に形成されたプリズムレンズ３３が全反射防止機能層とされている。光偏向機能層及び全反射防止機能層のプリズムレンズ３１，３３は、それぞれ山部３１ａ，３３ａと谷部３１ｂ，３３ｂとを有し、いずれも直線状に配列されている。
【００３３】
ここで、光偏向機能層のプリズムレンズ３１の頂角θ1は、３０°〜１２０°の範囲とされ、また、全反射防止機能層のプリズムレンズ３３の頂角θ2は、６０°〜１５０°の範囲とされている。なお、全反射防止機能層のプリズムレンズ３３の頂角θ2は、光偏向機能層のプリズムレンズ３１の頂角θ1より大きいことが好ましい。また、光偏向機能層は、そのプリズムレンズ３１の頂部が所定の一定ピッチとされており、また、全反射防止機能層のプリズムレンズ３３の頂部は、光偏向機能層のプリズムレンズ３１の隣接する頂部の間に配置されている。
【００３４】
ここで、プリズムレンズフィルム１５の厚みは、必要最小限の厚みとすることが好ましい。
図３にプリズムレンズフィルムの各寸法を説明する説明図を示した。
いま、光偏向機能層のプリズムレンズ３１のピッチをＰ1、全反射防止機能層のプリズムレンズ３３のピッチをＰ2とすると、光偏向機能層のプリズムレンズ３１の溝の深さｄｐ1及び全反射防止機能層のプリズムレンズ３３の溝の深さｄｐ2は次式で表される。
ｄｐ1＝（Ｐ1／２）／ｔａｎ（θ1／２）
ｄｐ2＝（Ｐ2／２）／ｔａｎ（θ2／２）
【００３５】
両面のプリズムレンズ３１，３３の間には、強度保持のためのベース部分を必要とする。その厚さｄbは、表示画像のぼけやコントラスト低下をさけるために薄い方が望ましく、次式の範囲が好適である。
０．２×Min（Ｐ1，Ｐ2）≦ｄb≦３×Min（Ｐ1，Ｐ2）
ここで、Min（Ｐ1，Ｐ2）は、Ｐ1，Ｐ2のうちいずれか小さい方を意味するものとする。
【００３６】
また、プリズムレンズフィルム１５のプリズムレンズ３１，３３とベース部分とを合わせたフィルム全体の厚さｄtotは次式で表される。
ｄtot＝ｄｐ1＋ｄb＋ｄｐ2
【００３７】
このｄtotの好ましい範囲はプリズムレンズ３１，３３の頂角θ1，θ2とプリズムレンズ３１，３３の頂部のピッチＰ1，Ｐ2によって異なるが、例として下記の場合についての値を示す。
θ1＝θ2＝  ９０°、Ｐ1＝Ｐ2＝５０μｍの場合、ｄtot＝６０〜１００μｍ
θ1＝θ2＝  ６０°、Ｐ1＝Ｐ2＝５０μｍの場合、ｄtot＝９７〜１３７μｍ
θ1＝θ2＝１２０°、Ｐ1＝Ｐ2＝５０μｍの場合、ｄtot＝３９〜７９μｍ
【００３８】
なお、光偏向機能層及び全反射防止機能層を構成するプリズムレンズ３１，３３の大きさは、ピッチＰ1，Ｐ２が、例えば、表示素子やカラーフィルター等のサイズと同等か小さいサイズ、すなわち、５μｍ〜５００μｍ程度となるように形成する。
また、平面光源１３からの光をプリズムレンズフィルム１５の方に拡散させるため、プリズムレンズフィルム１５の平面光源１３側に拡散板を入れても良く、また、平面光源１３からの光を反射させたり、プリズムレンズフィルム１５から反射された光を利用するため、平面光源１３の後ろ側（プリズムレンズフィルム１５と反対側）に、反射板や拡散板を入れても良い。
【００３９】
そして、上記のようなプリズムレンズフィルム１５を備えた平面型発光装置１１では、平面光源１３からの光がプリズムレンズフィルム１５内へ導かれ、その後、このプリズムレンズフィルム１５の光偏向機能層のプリズムレンズ３１から出射される。ここで、プリズムレンズフィルム１５は、平面光源１３側の面がプリズムレンズ３３からなる全反射防止機能層とされているので、図４に平面型発光装置の一部の断面図を示すように、平面光源１３からの光が反射しない十分な入射角を持たせることができる。これにより、平面光源１３からの光は、全反射することなくプリズムレンズフィルム１５へ入射することとなる。
【００４０】
そして、このプリズムレンズフィルム１５へ入射した光は、光偏向機能層のプリズムレンズ３１から表面側へ出射される。ここで、光偏向機能層のプリズムレンズ３１から表面側へ出射される光は、このプリズムレンズ３１を通ることにより、図５にプリズムレンズフィルムによる光量分布の改善効果を示すグラフを示すように、光量分布が均一化され、光量のムラがなくされる。
【００４１】
以上、説明したように、本実施形態に係るプリズムレンズフィルム１５によれば、一方の面に入射光の全反射を防止するプリズムレンズ３３からなる全反射防止機能層を設けたので、高い入射効率にて光を入射させてプリズムレンズ３１からなる光偏向機能層から良好に出射させることができる。これにより、平面光源１３からの光の利用効率を大幅に向上させて画面輝度を高めることができる。
【００４２】
特に、全反射防止機能層のプリズムレンズ３３の頂角θ2を６０°〜１５０°の所定範囲内に設定することで、プリズムレンズフィルム１５内に導入される入射光の全反射を抑えて利用効率を高め、さらに、光偏向機能層のプリズムレンズ３１の頂角θ1を３０°〜１２０°の所定範囲内に設定することで、集光効果を高めることができる。
【００４３】
また、全反射防止機能層のプリズムレンズ３３の頂角θ2を光偏向機能層のプリズムレンズ３１の頂角θ1より大きくすることにより、全反射防止機能層のプリズムレンズ３３による入射光の拡散を抑え、光偏向機能層のプリズムレンズ３１による集光度合いを向上することができ、これらプリズムレンズ３１，３３の協働効果により、入射光が高効率でプリズムレンズフィルム１５内に導入され、十分な集光効果が得られる。
【００４４】
さらに、光偏向機能層のプリズムレンズ３１の隣接する頂部の間に、全反射防止機能層のプリズムレンズ３３の頂部を配置したので、頂部が一つの場合はピッチＰ1，Ｐ2が等しくされ、全反射防止機能層から導入された光が、出射方向を概ね揃えた状態で透過するようになり、導入された光を集光させて過度な分散を抑えることで光利用効率が向上する。また、頂部が複数の場合は、より平均化された光分布となる。
【００４５】
また、光偏向機能層、全反射防止機能層のプリズムレンズ３１，３３の少なくともいずれかの頂部を、所定の一定ピッチで形成して規則性を持たせることにより、平面光源１３からの光の集光性を高めることができる。
また、屈折率１．４以上の材料によりプリズムレンズフィルム１５を形成することにより、光の屈折効果が十分に得られ、良好な偏向効果を得ることができる。
【００４６】
そして、上記プリズムレンズフィルム１５を用いた平面型発光装置１１によれば、全反射防止機能層のプリズムレンズ３３から全反射なく導入された平面光源１３からの光が、光偏向機能層のプリズムレンズ３１によって集光されて出射され、均等な光分布の光束を出射することができ、高い表示品質を得ることができ、しかも、消費電力の低減を図ることができる。
特に、平面光源１３として有機ＥＬ素子を用いることにより、薄型でフレキシブルにもでき、高輝度が得られる。
【００４７】
なお、全反射防止機能層及び光偏向機能層は、少なくともいずれかのプリズムレンズ３１，３３の頂部が同一平面上に配置されていることが好ましく、このようにすると、平面光源１３と積層させた際に、双方の平面性を損なうことがなく、集光条件が変化することがない。
また、プリズムレンズフィルム１５の各プリズムレンズ３１，３３の配置ピッチＰとしては、図６に示すように、平面光源１３の発光及び非発光状態を選択できる微小領域単位の画素の配置ピッチＰｇと略等しくすることが好ましく、このようにすると、出射する光におけるモアレ縞の発生を防止することができ、発光パターンを均一として表示品質を向上させることができる。
【００４８】
図７は、図１に示すプリズムレンズフィルムにおけるプリズムレンズ３１，３３の各変形例（ａ），（ｂ），（ｃ），（ｄ）を示す断面図である。ここで、プリズムレンズフィルム１５は、光偏向機能層及び全反射防止機能層をそれぞれ構成するプリズムレンズ３１，３３があるが、ここでは光偏向機能層を構成するプリズムレンズ３１を例に説明することとする。つまり、下記の変形例は、勿論全反射防止機能層のプリズムレンズ３３に対しても適用可能である。
【００４９】
図７（ａ）は、プリズムレンズ３１を正弦波状に形成した例である。この場合の凹凸パターンは、滑らかに規則的に配置された山部３１ａと谷部３１ｂとからなる。
図７（ｂ）は、プリズムレンズ３１を台形状に形成した例である。この場合の凹凸パターンは、矩形状の山部３１ａと谷部３１ｂとからなる。
【００５０】
図７（ｃ）は、プリズムレンズ３１を半円形状に形成した例である。この場合の凹凸パターンは、半円形状の山部３１ａと、隣り合う山部３１ａ同士の間の谷部３１ｂとからなる。
図７（ｄ）は、三角状のプリズムレンズ３１の頂部を円形に形成した例である。この場合の凹凸パターンは、頂部が断面視半円形状に形成された山部３１ａと、断面視Ｖ字形状の谷部３１ｂとからなる。
いずれのパターンも、山部３１ａの頂部は平面上に配置されている。
以上のように、プリズムレンズの形状は、断面三角形状に限らず、種々の形状とすることができ、利用目的に応じて、成形性や集光の具合を鑑みて適宜選定することが望ましい。
【００５１】
次に、プリズムレンズフィルムの他の実施形態について説明する。
図８は、他の実施形態に係るプリズムレンズフィルムを示す斜視図である。
図に示すように、この実施形態では、前述したプリズムレンズフィルム１５が積層されている。また、これら積層されたプリズムレンズフィルム１５は、それぞれの光偏向機能層及び全反射防止機能層を構成するプリズムレンズ３１，３３の配設方向が、互いに直交とされている。
【００５２】
そして、このようにプリズムレンズフィルム１５を、そのプリズムレンズ３１，３３の配設方向が直交するように積層させることにより、Ａ方向の光量バラツキは、下側のプリズムレンズフィルム１５により均一化され、Ｂ方向の光量バラツキは、上側のプリズムレンズフィルム１５により均一化される。
つまり、それぞれのプリズムレンズフィルム１５によって、直交する２方向に対する透過光量を均一化することができ、平面上で均等分布となった光束を得ることができ、表示品質を一層向上させることができる。
【００５３】
なお、本発明は、前述した各実施形態に限定されるものではなく、適宜、変形、改良等が可能である。例えば、平面光源１３としては、ＥＬ素子に限らず、ＬＥＤ、点状、円板状、球状のものを適用することができる。
【実施例１】
【００５４】
（実施例１）
プリズムレンズからなる全反射防止機能層及び光偏向機能層を備えたプリズムフィルムにおいて、光偏向機能層のプリズムレンズの頂角θ1を６０°及び９０°とし、それぞれの場合において全反射防止機能層のプリズムレンズの頂角θ2を変化させ、そのときの相対輝度を測定した。なお、法線方向における輝度、輝度向上が望まれる所定角度範囲における輝度及び前方の全光量の輝度を測定した。それぞれの結果を図９及び図１０に示す。
図９に示すように、光偏向機能層のプリズムレンズの頂角θ1を６０°とした場合、入射側凹凸パターンのプリズムレンズの頂角θ2が９０゜のときに集光効果が大きい（法線方向輝度と所定角度範囲輝度が共に大きい）ことが判った。
図１０に示すように、光偏向機能層のプリズムレンズの頂角θ1を９０°とした場合、入射側凹凸パターンのプリズムレンズの頂角θ2の変化による優劣が無い（法線方向輝度は１８０゜で大きいが、所定角度範囲輝度は優劣無し）ことが判った。
【００５５】
（実施例２）
光偏向機能層のプリズムレンズの頂角θ1を６０°とした場合について、全反射防止機能層のプリズムレンズの頂角θ2を９０°，１３５°，１８０°（平面）としたときのプリズムレンズフィルムの法線方向を０°とした光度の角度分布を測定した。その結果を図１１に示す。
図１１に示すように、全反射防止機能層のプリズムレンズの頂角θ2を９０°とした場合に、法線方向からの角度に関わらず安定した光度が得られることがわかった。
【図面の簡単な説明】
【００５６】
【図１】本実施形態に係るプリズムレンズフィルムを用いた平面型発光装置の断面図である。
【図２】プリズムレンズフィルムの斜視図である。
【図３】プリズムレンズフィルムの各寸法を説明する説明図である。
【図４】平面型発光装置の一部の断面図である。
【図５】プリズムレンズフィルムによる光量分布の改善効果を示すグラフである。
【図６】平面型発光装置の構成の一例を示す断面図である。
【図７】プリズムレンズフィルムにおけるプリズムの各変形例を示す断面図である。
【図８】他の実施形態に係るプリズムレンズフィルムを示す斜視図である。
【図９】全反射防止機能層のプリズムレンズの頂角と輝度との関係を示すグラフである。
【図１０】全反射防止機能層のプリズムレンズの頂角と輝度との関係を示すグラフである。
【図１１】法線方向からの角度に対する光度の変化を示すグラフである。
【図１２】プリズムレンズフィルムにおける光源からの光の全反射を説明する平面型発光装置の一部の断面図である。
【符号の説明】
【００５７】
１１  平面型発光装置
１３  平面光源（光源）
１５  プリズムレンズフィルム
３１  プリズムレンズ（光偏向機能層）
３３  プリズムレンズ（全反射防止機能層）
θ1，θ2  頂角
【図１】
2006100125.tif 000003
【図２】
2006100125.tif 000004
【図３】
2006100125.tif 000005
【図４】
2006100125.tif 000006
【図５】
2006100125.tif 000007
【図６】
2006100125.tif 000008
【図７】
2006100125.tif 000009
【図８】
2006100125.tif 000010
【図９】
2006100125.tif 000011
【図１０】
2006100125.tif 000012
【図１１】
2006100125.tif 000013
【図１２】
2006100125.tif 000014